(57)【特許請求の範囲】
【請求項１】
光加入者線端局装置と、
前記光加入者線端局装置と対向する光加入者線終端装置と、
前記光加入者線終端装置を搭載する搭載端末とを備え、
前記光加入者線終端装置又は前記搭載端末は、前記光加入者線終端装置の温度情報を検出し、
前記光加入者線端局装置は、前記光加入者線終端装置の温度情報に応じて通信帯域を制御することにより前記光加入者線終端装置との間の通信量を制御する光通信システムであって、
前記光加入者線終端装置の温度情報に応じて前記光加入者線端局装置から前記光加入者線終端装置への通信量が制限されるとともに、前記光加入者線端局装置から前記光加入者線終端装置に帯域制御情報が送信され、その帯域制御情報に応じて前記搭載端末から前記光加入者線終端装置への通信量が制限される
ことを特徴とする光通信システム。
【請求項２】
前記光加入者線端局装置は、複数の温度閾値に応じて前記光加入者線終端装置との間の通信量を段階的に制御することを特徴とする請求項１に記載の光通信システム。
【請求項３】
前記光加入者線終端装置の温度情報をＯＡＭフレームに載せて前記光加入者線端局装置に通知することを特徴とする請求項１又は２に記載の光通信システム。
【発明の詳細な説明】
【技術分野】
【０００１】
本発明は、光通信システムに関し、特に、光通信システムにおいて使用する宅内装置の温度管理技術に関する。
【背景技術】
【０００２】
近年、ＯＮＵ（Optical Network Unit）をＨＧＷ（Home GateWay）やＷｉＦｉ−ＡＰ（Wireless Fidelity Access Point）等の端末へ組み込む研究がなされている。それに伴い、ＯＮＵ小型化の技術（例えば、ＳＦＰ型ＯＮＵ）の開発が進んでいる（特許文献１参照）。
【０００３】
ＯＮＵ（Optical Network Unit）とは、光通信システムにおいて使用する局側装置（ＧＥ−ＯＬＴ）と対向する宅内装置である。ＯＮＵは通信量が多く、処理負荷が高くなると、通信ＬＳＩ（Large Scale Integration）や周辺部品の電力消費が増加し、装置温度が上昇する。電子機器において温度制御する先行技術文献としては、特許文献２〜４等がある。
【先行技術文献】
【特許文献】
【０００４】
【特許文献１】特表２００９−５２２８６６号公報
【特許文献２】特開２０１１−０４４８２７号公報
【特許文献３】特開２０１３−２５５０８６号公報
【特許文献４】特開２００９−１９４８７６号公報
【発明の概要】
【発明が解決しようとする課題】
【０００５】
小型ＯＮＵの実現に際して、以下の課題が生じる。
【０００６】
まず、現行ＯＮＵは、空冷などの冷却機構を備えているが、小型ＯＮＵには、このような冷却機構を設けるスペースがない。すなわち、小型ＯＮＵは、ＯＮＵの高温状態を回避する手段（発熱を低減する機構など）を備えていないため、現行ＯＮＵに比べて装置温度が高くなる。
【０００７】
また、小型ＯＮＵを搭載するＨＧＷ等の端末（以下、搭載端末という。）は、小型ＯＮＵの発熱の影響を直に受ける。搭載端末が高温状態に晒される時間が増えると、搭載端末の故障率上昇が懸念される。
【０００８】
更に、ＯＮＵは通信量が多く、処理負荷が高くなると、通信ＬＳＩや周辺部品の電力消費が増加し、５０〜６０℃程度まで装置温度が上昇する場合がある。このような高温状態が継続すると、内部部品の故障率上昇が懸念されるが、ＯＮＵの温度状態に応じて通信量を制御する仕組みがない。
【０００９】
すなわち、特許文献１は、ＳＦＰ型ＯＮＵの技術を開示しているが、ＳＦＰ型ＯＮＵから発せられる熱がＳＦＰ型ＯＮＵを搭載する端末に与える影響については考慮されていない。特許文献２は、半導体レーザの温度に応じてデータ送信を制御することで半導体レーザの故障率を低減させる手段を開示しているが、半導体レーザの温度による搭載端末の故障率上昇については考慮されていない。特許文献３は、レーザの使用温度に応じてレーザ波長を調整することで伝送距離を増大させる技術を開示しているが、装置故障率の低減については考慮されていない。特許文献４は、温度制御回路を利用し、消費電力が最小となるように波長を制御する技術を開示しているが、温度（消費電力）に影響を与える通信量については考慮されていない。
【００１０】
本発明は、上述した従来の技術に鑑み、小型ＯＮＵの温度上昇を回避することができる光通信システムを提供することを目的とする。
【課題を解決するための手段】
【００１１】
上記目的を達成するため、第１の態様に係る発明は、光通信システムであって、光加入者線端局装置と、前記光加入者線端局装置と対向する光加入者線終端装置と、前記光加入者線終端装置を搭載する搭載端末とを備え、前記光加入者線終端装置又は前記搭載端末は、前記光加入者線終端装置の温度情報を検出し、前記光加入者線端局装置は、前記光加入者線終端装置の温度情報に応じて通信帯域を制御することにより前記光加入者線終端装置との間の通信量を制御する光通信システムであって、前記光加入者線終端装置の温度情報に応じて前記光加入者線端局装置から前記光加入者線終端装置への通信量が制限されるとともに、前記光加入者線端局装置から前記光加入者線終端装置に帯域制御情報が送信され、その帯域制御情報に応じて前記搭載端末から前記光加入者線終端装置への通信量が制限されることを要旨とする。
【００１２】
第２の態様に係る発明は、第１の態様に係る発明において、前記光加入者線端局装置が、複数の温度閾値に応じて前記光加入者線終端装置との間の通信量を段階的に制御することを要旨とする。
【００１３】
第３の態様に係る発明は、第１又は第２の態様に係る発明において、前記光加入者線終端装置の温度情報をＯＡＭフレームに載せて前記光加入者線端局装置に通知することを要旨とする。
【発明の効果】
【００１４】
本発明によれば、小型ＯＮＵの温度上昇を回避することができる光通信システムを提供することが可能である。
【図面の簡単な説明】
【００１５】
【図１】実施の形態における光通信システムのシステム構成図である。
【図２】実施の形態のパタンを説明するための図である。
【図３】第１の実施の形態における光通信システムの機能ブロック図である。
【図４】第２の実施の形態における光通信システムの機能ブロック図である。
【図５】第３の実施の形態における光通信システムの機能ブロック図である。
【図６】第４の実施の形態における光通信システムの機能ブロック図である。
【図７】実施の形態における光通信システムの動作を示すシーケンス図である。
【図８】実施の形態における光通信システムの動作を示すフローチャートである。
【図９】実施の形態における光通信システムの動作を示すフローチャートである。
【図１０】実施の形態における光通信システムが備えるデータベースの構成図である。
【図１１】実施の形態における光通信システムによる効果を説明するための図である。
【発明を実施するための形態】
【００１６】
以下、本発明の実施の形態について図面を参照して詳細に説明する。なお、以下の実施の形態は、この発明の技術的思想を具体化するための光通信システムを例示するものであり、装置の構成やデータの構成等は以下の実施の形態に限定されるものではない。
（構成例）
図１は、本発明の実施の形態における光通信システムのシステム構成図である。この光通信システムは、図１に示すように、ＧＥ−ＯＬＴ１０と、ＯＮＵ２０と、ＨＧＷ３０とを備える。ＧＥ−ＯＬＴ（Gigabit Ethernet-Optical Line Terminal）１０は、光加入者線端局装置であり、加入者収容局に設置される（Ethernetは登録商標）。ＧＥ−ＯＬＴ１０内部のＯＳＵ（Optical Subscriber Unit）は、複数のＯＮＵ２０と接続される。ＯＮＵ２０は、光加入者線終端装置であり、加入者宅内に設置される。ここでは、ＳＦＰ型ＯＮＵ等、小型のＯＮＵを想定している。ＳＦＰ（Small Form-Factor Pluggable）とは、光ファイバを通信機器に接続する光トランシーバである。ＨＧＷ３０は、ＯＮＵ２０とユーザのＰＣなどを接続するための宅内ネットワーク機器である。ここでは、ＨＧＷ３０を例示しているが、ＯＮＵ２０を搭載することが可能な種々の搭載端末を採用することができる。
【００１７】
この光通信システムでは、ＯＮＵ２０とＧＥ−ＯＬＴ１０とが連携し、ＯＮＵ２０の温度が閾値を超過した際、そのＯＮＵ２０の温度に応じてＧＥ−ＯＬＴ１０がトラフィックを制御するようになっている。具体的には、搭載端末に影響を与える限界温度情報をＧＥ−ＯＬＴ１０に登録しておく。この限界温度情報は、搭載端末の種類ごとに異なるのが通常である。次に、ＯＮＵ２０において、温度センサなどによりＯＮＵ２０の温度を測定し、その測定結果である温度情報をＯＡＭフレームに載せてＧＥ−ＯＬＴ１０に通知する。ＯＡＭ（Operation Administration and Maintenance）は、ネットワークの保守・管理機能である。次に、ＧＥ−ＯＬＴ１０において、ＯＮＵ２０向けの通信量、言い換えると、下り通信（ＧＥ−ＯＬＴ１０からＯＮＵ２０への流量）を制御する。また、ＧＥ−ＯＬＴ１０からＯＮＵ２０のＵＮＩポート制御情報を送信する。ＵＮＩ（User-Network Interface）とは、通信事業者の通信設備とエンドユーザ側の設備とを接続するインタフェースである。次に、ＯＮＵ向けの通信量、言い換えると、上り通信（ＯＮＵ２０のＵＮＩポートもしくはＨＧＷ３０のＳＮＩ）を制御する。ＳＮＩ（application Server-Network Interface）とは、ＮＧＮにおいてサービスを提供する通信事業者側の設備と接続するためのインタフェースである。これにより、ＯＮＵ２０の通信量が制限され、ＯＮＵ２０に搭載される部品の駆動量が低減されるため、ＯＮＵ２０の発熱量を低下させることが可能となる。
【００１８】
図２は、本発明の実施の形態のパタンを説明するための図である。この図に示すように、本発明の実施の形態は、ＯＮＵ２０の温度を検出（測定）する箇所、ＧＥ−ＯＬＴ１０からＯＮＵ２０方向の通信帯域を制御する箇所、ＨＧＷ３０からＯＮＵ２０方向の通信帯域を制御する箇所の組み合わせに応じて４つのパタンに分類することができる。ＯＮＵ２０の温度を検出する箇所としては、ＯＮＵ２０と、ＨＧＷ３０がある。ＧＥ−ＯＬＴ１０からＯＮＵ２０方向の通信帯域を制御する箇所としては、ＧＥ−ＯＬＴ１０のＵＮＩ（ＰＯＮ−ＬＳＩ）がある。ＨＧＷ３０からＯＮＵ２０方向の通信帯域を制御する箇所としては、ＯＮＵ２０のＵＮＩ（ＰＨＹ−ＬＳＩ）と、ＨＧＷ３０のＳＮＩ（ＮＩＣ−ＬＳＩ）がある。これらの組み合わせである４つのパタン（実施の形態）の中から状況に合ったものを適宜選択することが可能である。
（第１の実施の形態）
図３は、本発明の第１の実施の形態における光通信システムの機能ブロック図である。この図に示すように、ＧＥ−ＯＬＴ１０は、ＯＳＵ＿ＩＦ部１１と、帯域制御管理部１２とを備える。ＯＮＵ２０は、ＯＬＴ側ＩＦ部２１と、ＯＮＵ温度情報検出部２２と、端末側ＩＦ部２３とを備える。ＨＧＷ３０は、ＯＮＵ側ＩＦ部３１を備える。ＯＳＵ＿ＩＦ部１１は、帯域制御情報に基づいた出力帯域制御を実施する。帯域制御管理部１２は、ＯＮＵ２０の温度情報に基づいた帯域制御を実施するＤＢＡ等である。ＤＢＡ（Dynamic Bandwidth Allocation）とは、トラヒック量に応じて帯域を動的に割り当てる機能である。帯域制御管理部１２には、帯域制御管理ＤＢ１２Ａと、帯域制御テーブル１２Ｂとが含まれる。帯域制御管理ＤＢ１２Ａは、ＯＮＵ２０ごとに温度と帯域制御状況の情報を格納する。帯域制御テーブル１２Ｂは、帯域制御状況と帯域制御方法の情報を格納する。ＯＬＴ側ＩＦ部２１は、ＯＮＵ２０の温度情報をＧＥ−ＯＬＴ１０に通知する。ＯＮＵ温度情報検出部２２は、ＯＮＵ２０の温度情報を検出する。端末側ＩＦ部２３は、帯域制御情報に基づいたＵＮＩリンク制御を実施する。
【００１９】
すなわち、第１の実施の形態におけるＯＮＵ２０側の主な追加機能は、温度測定手段と、ＵＮＩ帯域制御手段と、ＧＥ−ＯＬＴ１０との制御信号通信手段である。温度測定手段は、ＯＮＵ２０の温度を測定するセンサなどである。ＵＮＩ帯域制御手段は、ＵＮＩ帯域を制御する手段である。ＧＥ−ＯＬＴ１０との制御信号通信手段は、ＧＥ−ＯＬＴ１０との間で制御信号を通信する手段であり、例えば、ＯＡＭフレームやＶＬＡＮタグを利用することが可能である。また、第１の実施の形態におけるＧＥ−ＯＬＴ１０側の主な追加機能は、ＵＮＩ帯域制御手段と、ＯＮＵ２０との制御信号通信手段である。ＵＮＩ帯域制御手段は、ＵＮＩ帯域を制御する手段である。ＯＮＵ２０との制御信号通信手段は、ＯＮＵ２０との間で制御信号を通信する手段であり、例えば、ＯＡＭフレームやＶＬＡＮタグを利用することが可能である。
【００２０】
このような光通信システムの実施手順は以下のようになる。
［１］ＯＮＵ２０の温度測定手段により温度を測定する。
［２］測定結果を制御信号通信手段によりＯＮＵ２０からＧＥ−ＯＬＴ１０に送信する。
［３］ＧＥ−ＯＬＴ１０にて温度に応じて帯域を決める。
［４−１］ＧＥ−ＯＬＴ１０のＵＮＩ帯域制御手段を用いて下り通信の帯域を制御する。
［４−２−１］ＧＥ−ＯＬＴ１０からＯＮＵ２０に制御信号通信手段を用いて帯域制御の指示を送信する。
［４−２−２］ＯＮＵ２０のＵＮＩ帯域制御手段を用いて上り通信の帯域を制御する。
（第２の実施の形態）
図４は、本発明の第２の実施の形態における光通信システムの機能ブロック図である。第１の実施の形態と異なる点は、ＨＧＷ３０からＯＮＵ２０方向の通信帯域をＨＧＷ３０側で制御する点である。すなわち、第２の実施の形態におけるＯＮＵ２０側の主な追加機能は、温度測定手段と、ＧＥ−ＯＬＴ１０との制御信号通信手段と、ＨＧＷ３０との制御信号通信手段である。ＨＧＷ３０との制御信号通信手段は、ＨＧＷ３０との間で制御信号を通信する手段であり、例えば、Ｉ２Ｃや擬似ＶＬＡＮタグを利用することが可能である。温度測定手段及びＧＥ−ＯＬＴ１０との制御信号通信手段は、第１の実施の形態と同様である。また、第２の実施の形態におけるＧＥ−ＯＬＴ１０側の主な追加機能は、ＵＮＩ帯域制御手段と、ＯＮＵ２０との制御信号通信手段である。これら手段は、第１の実施の形態と同様である。また、第２の実施の形態におけるＨＧＷ３０側の主な追加機能は、ＳＮＩ帯域制御手段と、ＯＮＵ２０との制御信号通信手段である。ＳＮＩ帯域制御手段は、帯域制御情報に基づいたＳＮＩリンク制御を実施する。ＯＮＵ２０との制御信号通信手段は、ＯＮＵ２０との間で制御信号を通信する手段であり、例えば、Ｉ２Ｃや擬似ＶＬＡＮタグを利用することが可能である。
【００２１】
このような光通信システムの実施手順は以下のようになる。
［１］ＯＮＵ２０の温度測定手段により温度を測定する。
［２］測定結果を制御信号通信手段によりＯＮＵ２０からＧＥ−ＯＬＴ１０に送信する。
［３］ＧＥ−ＯＬＴ１０にて温度に応じて帯域を決める。
［４−１］ＧＥ−ＯＬＴ１０のＵＮＩ帯域制御手段を用いて下り通信の帯域を制御する。
［４−２−１］ＧＥ−ＯＬＴ１０からＯＮＵ２０に制御信号通信手段を用いて帯域制御の指示を送信する。
［４−２−２］ＯＮＵ２０が受信した帯域制御の指示をＨＧＷ３０に制御信号通信手段を用いて送信する。
［４−２−３］ＨＧＷ３０のＳＮＩ帯域制御手段を用いて上り通信の帯域を制御する。
（第３の実施の形態）
図５は、本発明の第３の実施の形態における光通信システムの機能ブロック図である。第１の実施の形態と異なる点は、ＯＮＵ２０の温度をＨＧＷ３０側で検出する点である。すなわち、第３の実施の形態におけるＯＮＵ２０側の主な追加機能は、ＵＮＩ帯域制御手段と、ＧＥ−ＯＬＴ１０との制御信号通信手段と、ＨＧＷ３０との制御信号通信手段である。これら手段は、第１又は第２の実施の形態と同様である。また、第３の実施の形態におけるＧＥ−ＯＬＴ１０側の主な追加機能は、ＵＮＩ帯域制御手段と、ＯＮＵ２０との制御信号通信手段である。これら手段は、第１の実施の形態と同様である。また、第３の実施の形態におけるＨＧＷ３０側の主な追加機能は、ＯＮＵ２０の温度測定手段と、ＯＮＵ２０との制御信号通信手段である。ＯＮＵ２０の温度測定手段は、ＯＮＵ２０の温度を測定するセンサなどである。ＯＮＵ２０との制御信号通信手段は、第２の実施の形態と同様である。なお、図５に示されるＯＮＵ情報管理部２２Ａは、ＯＮＵ２０の温度情報等を受け渡す機能を備えていればよく、ＯＮＵ２０の温度情報を検出する機能を備えていなくてもよいのはもちろんである。
【００２２】
このような光通信システムの実施手順は以下のようになる。
［１］ＨＧＷ３０の温度測定手段により温度を測定する。
［２］測定結果を制御信号通信手段によりＨＧＷ３０からＯＮＵ２０に送信する。
［３］測定結果を制御信号通信手段によりＯＮＵ２０からＧＥ−ＯＬＴ１０に送信する。
［４］ＧＥ−ＯＬＴ１０にて温度に応じて帯域を決める。
［５−１］ＧＥ−ＯＬＴ１０のＵＮＩ帯域制御手段を用いて下り通信の帯域を制御する。
［５−２−１］ＧＥ−ＯＬＴ１０からＯＮＵ２０に制御信号通信手段を用いて帯域制御の指示を送信する。
［５−２−２］ＯＮＵ２０のＵＮＩ帯域制御手段を用いて上り通信の帯域を制御する。
（第４の実施の形態）
図６は、本発明の第４の実施の形態における光通信システムの機能ブロック図である。第４の実施の形態は、第２の実施の形態と第３の実施の形態とを組み合わせたものに相当する。すなわち、第４の実施の形態におけるＯＮＵ２０側の主な追加機能は、ＧＥ−ＯＬＴ１０との制御信号通信手段と、ＨＧＷ３０との制御信号通信手段である。また、第４の実施の形態におけるＧＥ−ＯＬＴ１０側の主な追加機能は、ＵＮＩ帯域制御手段と、ＯＮＵ２０との制御信号通信手段である。また、第４の実施の形態におけるＨＧＷ３０側の主な追加機能は、ＯＮＵ２０の温度測定手段と、ＳＮＩ帯域制御手段と、ＯＮＵ２０との制御信号通信手段である。これら手段は、第１〜第３の実施の形態と同様である。
【００２３】
このような光通信システムの実施手順は以下のようになる。
［１］ＨＧＷ３０の温度測定手段により温度を測定する。
［２］測定結果を制御信号通信手段によりＨＧＷ３０からＯＮＵ２０に送信する。
［３］測定結果を制御信号通信手段によりＯＮＵ２０からＧＥ−ＯＬＴ１０に送信する。
［４］ＧＥ−ＯＬＴ１０にて温度に応じて帯域を決める。
［５−１］ＧＥ−ＯＬＴ１０のＵＮＩ帯域制御手段を用いて下り通信の帯域を制御する。
［５−２−１］ＧＥ−ＯＬＴ１０からＯＮＵ２０に制御信号通信手段を用いて帯域制御の指示を送信する。
［５−２−２］ＯＮＵ２０が受信した帯域制御の指示をＨＧＷ３０に制御信号通信手段を用いて送信する。
［５−２−３］ＨＧＷ３０のＳＮＩ帯域制御手段を用いて上り通信の帯域を制御する。
（動作例）
図７は、本発明の実施の形態における光通信システムの動作を示すシーケンス図である。ここでは、第１の実施の形態に対応する動作を例示するが、その他の実施の形態に対応する動作も基本的に同じである。
【００２４】
まず、ＯＮＵ２０は、ＯＮＵ２０の温度情報を検出し、検出した温度情報をＧＥ-ＯＬＴ１０に送信する（Ｓ１→Ｓ２）。次に、ＧＥ-ＯＬＴ１０は、ＯＮＵ２０より温度情報を受信すると、ＯＮＵ２０の温度を確認し、その温度に応じた帯域制御の方法を判断した後（Ｓ３）、下り通信の帯域制御を行うとともに、上り通信の帯域制御情報をＯＮＵ２０に送信する（Ｓ４→Ｓ５）。ＯＮＵ２０は、ＧＥ-ＯＬＴ１０より上り通信の帯域制御情報を受信すると、その帯域制御情報に応じてＵＮＩリンク速度の設定を変更した後、その設定変更完了通知をＧＥ-ＯＬＴ１０に送信する（Ｓ６→Ｓ７）。ＧＥ-ＯＬＴ１０は、ＯＮＵ２０からＵＮＩリンク速度変更完了通知を受信すると、帯域制御管理ＤＢ１２Ａを更新する（Ｓ８）。
【００２５】
図８及び図９は、本発明の実施の形態における光通信システムの動作を示すフローチャートである。ここでも、第１の実施の形態に対応する動作を例示するが、その他の実施の形態に対応する動作も基本的に同じである。ＯＮＵ測定温度をＴ、ＯＮＵ閾値温度をＴ１，Ｔ２としている。ＯＮＵ閾値温度Ｔ１は、ＯＮＵ動作仕様温度のｘ％に相当する温度であり、ＯＮＵ閾値温度Ｔ２は、ＯＮＵ動作仕様温度のｙ％に相当する温度である（ｘ＜ｙ）。また、ＯＮＵ閾値温度Ｔ２は、搭載端末に影響を与える限界温度情報である。
【００２６】
まず、ＯＮＵ２０は、ＯＮＵ測定温度Ｔを測定し、測定したＯＮＵ測定温度ＴをＧＥ-ＯＬＴ１０に送信する（Ｓ１０→Ｓ１１）。これにより、ＧＥ-ＯＬＴ１０は、該当ＯＮＵ２０の帯域制御情報（Ｆｌａｇデータ）を帯域制御管理ＤＢ１２Ａから読み出す（Ｓ１２）。
【００２７】
ここで、ＧＥ-ＯＬＴ１０は、ＯＮＵ測定温度ＴがＯＮＵ閾値温度Ｔ２以上である場合において、帯域制御管理ＤＢ１２Ａから読み出したＦｌａｇデータが「２」であるときは（Ｓ１３：ＹＥＳ→Ｓ１４：ＹＥＳ）、ＯＮＵ２０に対して何もしない（Ｓ１５）。
【００２８】
また、ＧＥ-ＯＬＴ１０は、ＯＮＵ測定温度ＴがＯＮＵ閾値温度Ｔ２以上である場合において、帯域制御管理ＤＢ１２Ａから読み出したＦｌａｇデータが「２」でないときは（Ｓ１３：ＹＥＳ→Ｓ１４：ＮＯ）、ＧＥ-ＯＬＴ１０のＵＮＩ帯域を制御する（Ｓ２１）。具体的には、該当ＯＮＵ向けの出力帯域を「０」にするようになっている。その後、ＧＥ-ＯＬＴ１０がＯＮＵ２０に帯域制御信号を送信すると、ＯＮＵ２０は、ＯＮＵ２０のＵＮＩ帯域を制御する（Ｓ２２→Ｓ２３）。具体的には、ＵＮＩリンクダウンを実施するようになっている。これにより、ＯＮＵ２０がＵＮＩリンク速度変更完了通知をＧＥ-ＯＬＴ１０に送信すると、ＧＥ-ＯＬＴ１０は、帯域制御管理ＤＢ１２ＡのＦｌａｇデータを「２」に書き換える（Ｓ２４→Ｓ２５）。
【００２９】
また、ＧＥ-ＯＬＴ１０は、ＯＮＵ測定温度ＴがＯＮＵ閾値温度Ｔ１以上で且つＯＮＵ閾値温度Ｔ２未満である場合において、帯域制御管理ＤＢ１２Ａから読み出したＦｌａｇデータが「１」であるときは（Ｓ１６：ＹＥＳ→Ｓ１７：ＹＥＳ）、ＯＮＵ２０に対して何もしない（Ｓ１８）。
【００３０】
また、ＧＥ-ＯＬＴ１０は、ＯＮＵ測定温度ＴがＯＮＵ閾値温度Ｔ１以上で且つＯＮＵ閾値温度Ｔ２未満である場合において、帯域制御管理ＤＢ１２Ａから読み出したＦｌａｇデータが「１」でないときは（Ｓ１６：ＹＥＳ→Ｓ１７：ＮＯ）、ＧＥ-ＯＬＴ１０のＵＮＩ帯域を制御する（Ｓ２６）。具体的には、該当ＯＮＵ向けの出力帯域を例えば１０Ｍｂｐｓに制限するようになっている。その後、ＧＥ-ＯＬＴ１０がＯＮＵ２０に帯域制御信号を送信すると、ＯＮＵ２０は、ＯＮＵ２０のＵＮＩ帯域を制御する（Ｓ２７→Ｓ２８）。具体的には、ＵＮＩリンク速度を例えば１Ｇｂｐｓから１０Ｍｂｐｓに変更するようになっている。これにより、ＯＮＵ２０がＵＮＩリンク速度変更完了通知をＧＥ-ＯＬＴ１０に送信すると、ＧＥ-ＯＬＴ１０は、帯域制御管理ＤＢ１２ＡのＦｌａｇデータを「１」に書き換える（Ｓ２９→Ｓ３０）。
【００３１】
また、ＧＥ-ＯＬＴ１０は、ＯＮＵ測定温度ＴがＯＮＵ閾値温度Ｔ１未満である場合において、帯域制御管理ＤＢ１２Ａから読み出したＦｌａｇデータが「０」であるときは（Ｓ１９：ＹＥＳ）、ＯＮＵ２０に対して何もしない（Ｓ２０）。
【００３２】
また、ＧＥ-ＯＬＴ１０は、ＯＮＵ測定温度ＴがＯＮＵ閾値温度Ｔ１未満である場合において、帯域制御管理ＤＢ１２Ａから読み出したＦｌａｇデータが「０」でないときは（Ｓ１９：ＮＯ）、ＧＥ-ＯＬＴ１０のＵＮＩ帯域を制御する（Ｓ３１）。具体的には、該当ＯＮＵ向けの出力帯域設定を元に戻すようになっている。その後、ＧＥ-ＯＬＴ１０がＯＮＵ２０に帯域制御信号を送信すると、ＯＮＵ２０は、ＯＮＵ２０のＵＮＩ帯域を制御する（Ｓ３２→Ｓ３３）。具体的には、ＵＮＩリンク設定を元に戻すようになっている。これにより、ＯＮＵ２０がＵＮＩリンク速度変更完了通知をＧＥ-ＯＬＴ１０に送信すると、ＧＥ-ＯＬＴ１０は、帯域制御管理ＤＢ１２ＡのＦｌａｇデータを「０」に書き換える（Ｓ３４→Ｓ３５）。
【００３３】
以上の処理をＧＥ−ＰＯＮシステムの帯域更新周期毎に実施するようになっている。ＧＥ−ＰＯＮ（Gigabit Ethernet-Passive Optical Network）とは、一心の光ファイバを複数ユーザで共有し、１Ｇｂｐｓの通信速度を実現する光アクセス方式である。
（データベース構成例）
図１０は、本発明の実施の形態における光通信システムが備えるデータベースの構成図である。具体的には、図１０（ａ）は、ＧＥ-ＯＬＴ１０が備える帯域制御管理ＤＢ１２Ａを示し、図１０（ｂ）は、ＧＥ-ＯＬＴ１０が備える帯域制御テーブル１２Ｂを示し、図１０（ｃ）は、ＯＮＵ２０が備えるＯＮＵ温度情報２４を示している。
【００３４】
図１０（ａ）に示すように、帯域制御管理ＤＢ１２Ａは、ＯＮＵ＿ＭＡＣ情報と、ＯＮＵ閾値温度Ｔ１と、ＯＮＵ閾値温度Ｔ２と、ＯＮＵ測定温度Ｔと、帯域制御情報（Ｆｌａｇデータ）とを対応付けて管理している。ＯＮＵ測定温度Ｔ及び帯域制御情報は適宜更新される。ここでは、ＯＮＵ閾値温度Ｔ１が４０℃、ＯＮＵ閾値温度Ｔ２が５０℃である場合を例示しているが、これら閾値温度Ｔ１，Ｔ２は、搭載端末の種類に応じて変更することが可能である。例えば、搭載端末が別のものに変更された場合は、変更後の搭載端末の種類を示す情報をＯＮＵ２０からＧＥ-ＯＬＴ１０に通知し、帯域制御管理ＤＢ１２ＡのＯＮＵ閾値温度Ｔ１，Ｔ２を変更してもよい。
【００３５】
図１０（ｂ）に示すように、帯域制御テーブル１２Ｂは、帯域制御情報（Ｆｌａｇデータ）と、上り通信の帯域制御方法と、下り通信の帯域制御方法とを対応付けて管理している。ここで例示している帯域制御方法は、図８及び図９において説明した通りである。帯域制御情報は「０」「１」「２」の３種類に限定されるものではなく、また、帯域制御方法も適宜変更することが可能である。
【００３６】
図１０（ｃ）に示すように、各ＯＮＵ２０は、自身のＯＮＵ＿ＭＡＣ情報と、ＯＮＵ測定温度Ｔとを対応付けて管理している。ＯＮＵ測定温度Ｔは適宜更新される。
【００３７】
以上のように、本発明の実施の形態における光通信システムは、ＧＥ-ＯＬＴ１０と、ＧＥ-ＯＬＴ１０と対向するＯＮＵ２０と、ＯＮＵ２０を搭載するＨＧＷ３０とを備え、ＯＮＵ２０又はＨＧＷ３０は、ＯＮＵ２０の温度情報を検出し、ＧＥ-ＯＬＴ１０は、ＯＮＵ２０の温度情報に応じて通信帯域を制御することによりＯＮＵ２０との間の通信量を制御する。具体的には、図１１（ａ）に示すように、ＧＥ-ＯＬＴ１０とＯＮＵ２０との間で下り通信４０と上り通信５０が行われている場合において、ＯＮＵ２０が高温状態になると、図１１（ｂ）に示すように、下り通信４１と上り通信５１の通信量を制限するようになっている。
【００３８】
これにより、ＯＮＵ２０の負荷が下がるため、ＯＮＵ２０の温度上昇を回避することが可能である。また、ＧＥ-ＯＬＴ１０においてＯＮＵ２０ごとの柔軟な帯域制御と一括管理を行うことができるため、あるＯＮＵ２０用の通信帯域を制限した場合は、その分の通信帯域を別のＯＮＵ２０用に割り当てることが可能である。その他、（１）ＨＧＷ３０等の搭載端末の故障率が低減できる、（２）ＯＮＵ２０そのものに発熱を低減する新たな機構が不要になる、（３）搭載端末にＯＮＵ２０の発熱を低減する機構（ファン等）が不要になる、（４）搭載端末側でＯＮＵ２０の温度仕様への対応が不要になる等の効果がある。
【００３９】
また、ＧＥ-ＯＬＴ１０は、複数の温度閾値に応じてＯＮＵ２０との間の通信量を段階的に制御してもよい。これにより、温度上昇時には段階的に通信量を制限することができ、温度低下時には段階的に通信量の回復を行うことができる。上り通信の遮断はＯＮＵ２０のＵＮＩリンク制御のため、温度低下時の即時通信回復が可能である。段階的な通信の制御を行うことでＯＮＵ２０の温度上昇速度を抑え、電話等の優先度の高い通信を維持できるという効果もある。
【００４０】
また、ＯＮＵ２０の温度情報をＯＡＭフレームに載せてＧＥ-ＯＬＴ１０に通知してもよい。これにより、ＯＮＵ２０とＧＥ-ＯＬＴ１０とが連携してＯＮＵ２０の温度情報を定期的に把握することができる。Ｔｒａｐ通知や監視ＳＶからのポーリングによる情報取得ではなく、ＧＥ−ＰＯＮシステムで利用されるＯＡＭフレームを利用するようにしているため、ＯＮＵ２０の温度情報を効率的かつタイムリーに通知することが可能である。
【００４１】
なお、本発明は、光通信システムとして実現することができるだけでなく、この光通信システムに用いられる光加入者線端局装置（ＧＥ−ＯＬＴ１０）、光加入者線終端装置（ＯＮＵ２０）、又は搭載端末（ＨＧＷ３０）が備える特徴的な処理部をステップとする温度管理方法として実現したり、それらのステップをコンピュータに実行させる温度管理プログラムとして実現したりすることも可能である。このようなプログラムは、ＣＤ−ＲＯＭ等の記録媒体やインターネット等の伝送媒体を介して配信することができるのはいうまでもない。
【符号の説明】
【００４２】
１０…光加入者線端局装置（ＧＥ-ＯＬＴ）
２０…光加入者線終端装置（ＯＮＵ）
３０…搭載端末（ＨＧＷ）
【図１】
0005914590.tif 000002
【図２】
0005914590.tif 000003
【図３】
0005914590.tif 000004
【図４】
0005914590.tif 000005
【図５】
0005914590.tif 000006
【図６】
0005914590.tif 000007
【図７】
0005914590.tif 000008
【図８】
0005914590.tif 000009
【図９】
0005914590.tif 000010
【図１０】
0005914590.tif 000011
【図１１】
0005914590.tif 000012